(57)【要約】【課題】下枠に外れ防止部材と干渉する部材が存在しても障子がスライド可能な建具を提供する。【解決手段】障子が枠体から外れることを防止するための外れ防止部材は、障子の下端部に収容されており、下レールの室内側にて下方に延出された延出部を有する本体部と、本体部の上方に配置され本体部を下レール側に付勢する付勢部と、本体部と付勢部とを連結する連結部と、を備えており、本体部の上縁は、見付け方向の幅が連結部の幅より広く形成され、延出部の下縁は、見付け方向における中央から両側に向かって上昇する輪郭をなし、付勢部は、連結部から見付け方向における両側に突出し、弾性変形して延出部を障子の下縁から出没自在に付勢する。【選択図】図７
2010174485.tif 000002
【特許請求の範囲】
【請求項１】
室内外の境界に設けられた枠体に、見付け方向にスライド自在に設けられた障子が前記枠体から外れることを防止するための外れ防止部材を備えた建具であって、
前記外れ防止部材は、
前記障子の下端部に収容されており、
前記下レールの室内側にて下方に延出された延出部を有する本体部と、
前記本体部の上方に配置され当該本体部を前記下レール側に付勢する付勢部と、
前記本体部と前記付勢部とを連結する連結部と、を備えており、
前記本体部の上縁は、見付け方向の幅が前記連結部の幅より広く形成され、
前記延出部の下縁は、見付け方向における中央から両側に向かって上昇する輪郭をなし、
前記付勢部は、前記連結部から見付け方向における両側に突出し、弾性変形して前記延出部を前記障子の下縁から出没自在に付勢することを特徴とする建具。
【請求項２】
請求項１に記載の建具であって、
前記延出部の下縁の輪郭は、見付け方向において中央から両側に向かって上昇する一対の傾斜部を有し、当該一対の傾斜部がなす角が鈍角であることを特徴とする建具。
【請求項３】
請求項１又は請求項２に記載の建具であって、
室内側からの操作により前記延出部を前記障子から出没させる方向に移動させるための操作部を有し、
前記操作部は、室外側に突出された結合部が、前記障子に設けられた孔部に挿通されて前記連結部と結合されていることを特徴とする建具。
【請求項４】
請求項３に記載の建具であって、
前記孔部は、前記操作部を、前記本体部を前記障子から出没させる方向に移動させるための縦孔部と前記縦孔部の上部と繋がって見付け方向に広げられた横孔部とを有し、
前記横孔部の下側の縁であって、前記縦孔部との境界部には上方に突出して、前記横孔部に移動された前記結合部を、移動された状態に保持するための突起を有することを特徴とする建具。
【請求項５】
請求項４に記載の建具であって、
前記延出部の、前記見付け方向における中央の下縁は、室内側が室外側より高くなる傾斜面を有し、
前記結合部が前記横孔部にて保持された状態で、前記付勢部が当接されて当該付勢部に前記横孔部側から前記縦孔部側への付勢力を発生させるストッパーを有することを特徴とする建具。
【請求項６】
請求項５に記載の建具であって、
前記ストッパーは、前記障子が有する戸車であることを特徴とする建具。
【請求項７】
請求項１乃至請求項６のいずれかに記載の建具であって、
前記障子は、長手方向に押し出されて形成された押出成形部材である上下の横框と左右の縦框とが、前記横框に設けられたビスホールにて前記縦框がビス止めされた框体を有し、
前記外れ防止部材は前記下の横框に収容され、前記付勢部は、弾性変形する際に前記下の横框の前記ビスホールを形成する部位と摺接することを特徴とする建具。
【請求項８】
請求項７に記載の建具であって、
前記付勢部は曲面にて前記ビスホールを形成する部位と摺接することを特徴とする建具。
【発明の詳細な説明】
【技術分野】
【０００１】
本発明は、室内外の境界に設けられる枠体が有する下レールに案内されて見付け方向にスライド自在に設けられた障子が前記下レールから外れることを防止するための外れ防止部材を備えた建具に関する。
【背景技術】
【０００２】
従来、室内外の境界に設けられる枠体が有する下レールに案内されて見付け方向にスライド自在に設けられた障子が前記下レールから外れることを防止するための外れ防止部材を備えた建具としては、例えば、下枠に設けられた網戸レール上を摺動する摺動片が圧縮スプリングの付勢力により下方に付勢されて網戸レールと係合して、下框が網戸レールから外れないように構成された網戸を有する建具が知られている(例えば、特許文献１参照)。
【先行技術文献】
【特許文献】
【０００３】
【特許文献１】実開昭６１−３２４７５号公報
【発明の概要】
【発明が解決しようとする課題】
【０００４】
下枠には、防虫部材などの部材が設けられている場合があり、上記のように摺動片が設けられた障子が下レール上をスライドしたときに、下枠に設けられている部材に接触したときの衝撃が大きくなったり、移動できなくなる虞があるという課題がある。  
本発明は、かかる課題に鑑みてなされたものであり、その目的とするところは、下枠に外れ防止部材と干渉する部材が存在しても障子がスライド可能な建具を提供することにある。
【課題を解決するための手段】
【０００５】
かかる目的を達成するために本発明の建具は、室内外の境界に設けられた枠体に、見付け方向にスライド自在に設けられた障子が前記枠体から外れることを防止するための外れ防止部材を備えた建具であって、前記外れ防止部材は、前記障子の下端部に収容されており、前記下レールの室内側にて下方に延出された延出部を有する本体部と、前記本体部の上方に配置され当該本体部を前記下レール側に付勢する付勢部と、前記本体部と前記付勢部とを連結する連結部と、を備えており、前記本体部の上縁は、見付け方向の幅が前記連結部の幅より広く形成され、前記延出部の下縁は、見付け方向における中央から両側に向かって上昇する輪郭をなし、前記付勢部は、前記連結部から見付け方向における両側に突出し、弾性変形して前記延出部を前記障子の下縁から出没自在に付勢することを特徴とする建具である。
【０００６】
このような建具によれば、下方に延出された延出部を有する本体部は付勢部により障子の下縁から出没自在に付勢されているので、障子がスライドする際に、枠体に設けられた部材と延出部とが干渉した際には、付勢部の弾性変形により延出部を障子に収容される方向に移動させることが可能である。このため、延出部と枠体に設けられた部材とが干渉したとしても障子はスライドし続けることが可能である。このとき、枠体に設けられた部材と干渉する延出部の下縁は、見付け方向における中央から両側に向かって上昇する輪郭をなしているので、延出部と枠体に設けられた部材とは、干渉する量が徐々に変化するため、障子がスライドして延出部と枠体に設けられた部材とが干渉する際の衝撃を小さく抑えることが可能である。
【０００７】
また、延出部の上方となる本体部の上縁の幅が連結部の見付け方向の幅より広く、且つ、付勢部が連結部から見付け方向における両側に突出させて設けられているので、障子の移動方向となる見付け方向において延出部及び付勢部の幅がそれぞれ連結部より広い間隔となる。このため、延出部の輪郭における高さ方向の変化を緩やかに形成することが可能であるので障子がスライドして延出部と枠体に設けられた部材とが干渉する際の衝撃をより小さく抑えることが可能であるとともに、延出部と枠体に設けられた部材とが干渉したとしても延出部が大きく傾くようなロッキングが生じ難いので、延出部が安定した姿勢を保たせつつ本体部を下レール側に付勢することが可能である。
【０００８】
かかる建具であって、前記延出部の下縁の輪郭は、見付け方向において中央から両側に向かって上昇する一対の傾斜部を有し、当該一対の傾斜部がなす角は鈍角であることが望ましい。  
このような建具によれば、延出部の下縁の輪郭は、見付け方向において中央から両側に向かって緩やかな角度にて高さが変化していくので、延出部と枠体に設けられた部材とが干渉したとしても、延出部を押し上げる力は急激に変化することはなく、より滑らかに障子をスライドさせることが可能である。
【０００９】
かかる建具であって、室内側からの操作により前記延出部を前記障子から出没させる方向に移動させるための操作部を有し、前記操作部は、室外側に突出された結合部が、前記障子に設けられた孔部に挿通されて前記連結部と結合されていることが望ましい。  
このような建具によれば、延出部を室内側からの操作により障子から出没させる方向に容易に移動させることが可能である。
【００１０】
かかる建具であって、前記孔部は、前記操作部を、前記本体部を前記障子から出没させる方向に移動させるための縦孔部と前記縦孔部の上部と繋がって見付け方向に広げられた横孔部とを有し、前記横孔部の下側の縁であって、前記縦孔部との境界部には上方に突出して、前記横孔部に移動された前記結合部を、移動された状態に保持するための突起を有することが望ましい。
【００１１】
外れ防止部材が設けられた障子は、延出部が障子の下縁より下方に突出したままの状態では枠体に取り付けることが難しくなるので、障子を枠体に取り付ける際には、延出部ができるだけ障子内に移動され、すなわち上方に移動されて延出部の障子からの突出量が小さい方が望ましい。このため、上記の建具のように、操作部の結合部が挿通されている孔部が、上下方向に移動するための縦孔部の上部と繋がって横孔部を有していると、結合部を横孔部に移動することにより、延出部を上方に移動された位置にて保持することが可能である。
【００１２】
また、縦孔部との境界部に設けられた上方に突出する突起にて、横孔部に移動された結合部が移動された状態を維持することが可能であり、操作部から手を離した状態であっても延出部を上方に移動した状態に維持することが可能である。このため、障子を枠体に取り付ける際には、操作部から手を離すことができるので両手で障子を保持して容易に取り付けることが可能である。
【００１３】
かかる建具であって、前記延出部の、前記見付け方向における中央の下縁は、室内側が室外側より高くなる傾斜面を有し、前記結合部が前記横孔部にて保持された状態で、前記付勢部が当接されて当該付勢部に前記横孔部側から前記縦孔部側への付勢力を発生させるストッパーを有することが望ましい。  
このような建具によれば、延出部の見付け方向における中央の下縁は、室内側が室外側より高くなる傾斜面を有しているので、室外側から障子を枠体に取り付ける際に、延出部の中央の下縁が下レールに接触した後、そのまま障子の下端を室内側に移動させると、延出部は下レールにより傾斜面に沿って上方に押し上げられ、結合部が突起より高い位置に移動する。このとき、本体部は、ストッパーにより横孔部側から縦孔部側への付勢力を備えた付勢部に付勢されているので、横孔部から外れて縦孔部側に移動する。このため、障子を枠体に取り付けるだけで、障子が枠体から外れないように外れ防止部材の延出部を障子の下縁より下方に突出させることが可能である。
【００１４】
かかる建具であって、前記ストッパーは、前記障子が有する戸車であることが望ましい。  
このような建具によれば、結合部を横孔部側から縦孔部側へ付勢するための部材を別途設けることなく、本体部を下レール側に付勢する付勢部にて結合部を横孔部側から縦孔部側へ付勢することが可能である。
【００１５】
かかる建具であって、前記障子は、長手方向に押し出されて形成された押出成形部材である上下の横框と左右の縦框とが、前記横框に設けられたビスホールにて前記縦框がビス止めされた框体を有し、前記外れ防止部材は前記下の横框に収容され、前記付勢部は、弾性変形する際に前記下の横框の前記ビスホールを形成する部位と摺接することが望ましい。  
連結部から見付け方向における両側に突出して設けられた付勢部は、上方に設けられたビスホールを形成する部位と摺接しつつ弾性変形して付勢力が発生する。このため、付勢部が弾性変形する際の付勢部と下の横框との接触面積は、平面に摺接する場合より小さいので付勢部を滑らかに弾性変形させることが可能である。
【００１６】
かかる建具であって、前記付勢部は曲面にて前記ビスホールを形成する部位と摺接することが望ましい。  
このような建具によれば、付勢部のビスホールを形成する部位と摺接する部位は曲面なので、付勢部と下の横框との接触面積をより小さく抑えることが可能である。このため、付勢部をより滑らかに弾性変形させることが可能である。
【発明の効果】
【００１７】
本発明によれば、下枠に外れ防止部材と干渉する部材が存在しても障子がスライド可能な建具を提供することが可能である。
【図面の簡単な説明】
【００１８】
【図１】本実施形態に係る建具の水平断面図である。
【図２】本実施形態に係る建具の縦断面図である。
【図３】外れ防止部材を示す斜視図である。
【図４】外れ防止部材を示す側面図である。
【図５】図５（ａ）は、操作部を示す平面図、図５（ｂ）は、図５（ａ）のＡ矢視図である。
【図６】網戸の下部を室内側から見た図である。
【図７】図７（ａ）は、係合部が横孔部に保持された状態を示す図、図７（ｂ）は、網戸が枠体に取り付けられた状態を示す図、図７（ｃ）は、延出部と防虫部材とが接触した状態を示す図である。
【図８】網戸の取り付け時における外れ防止部材の状態を示す図である。
【発明を実施するための形態】
【００１９】
以下、本発明の一実施形態に係る建具について図面を参照して説明する。  
本実施形態の建具１は、室内外の境界となる壁等に設けられ、図１、図２に示すような、室内外を連通する開口を形成する枠体１０と、枠体１０内に固定され開口の一部を閉塞し、ガラス３が嵌め付けられて移動しない固定障子２０と、固定障子２０にて閉塞されない領域を閉塞可能であり、枠体１０に沿って移動可能な可動障子３０と、可動障子３０が移動して開放される領域を覆うことが可能な障子としての網戸５０を備えた建具１を例に挙げて説明する。
【００２０】
以下の説明においては、建具１を室内側から見たときに上下となる方向を上下方向、左右となる方向を左右方向または見付け方向、室内外方向である奥行き方向を見込み方向として示す。また、建具が備える各部材は、単体の状態であっても建具として取り付けられた状態で上下方向、見付け方向、見込み方向等となる方向にて方向を特定して説明する。
【００２１】
本実施形態の建具１は、室内側から見て開口の左側の領域が固定障子２０にて閉塞され、右側の領域が可動障子３０にて開閉可能かつ網戸５０にて覆うことが可能に構成されている。
【００２２】
枠体１０は、室内外を仕切る壁（不図示）に設けられ、押し出し成形部材である上枠１２、下枠１３、左右の縦枠１４、１５が矩形状に枠組みされて構成されている。枠体１０は、見込み方向における中央から室内側の領域と室外側の領域とに分けられており、室外側の領域の左側に固定障子２０が固定されており、室内側の領域は可動障子３０が移動可能に形成されている。枠体１０の最も室外側には、上枠１２と下枠１３及び左右の縦枠１４、１５から互いに対向する枠材（上枠１２、下枠１３、左右の縦枠１４、１５）に向かって対向する位置に壁部１２ａ、１３ａ、１４ａ、１５ａが突出されており、突出された壁部１２ａ、１３ａ、１４ａ、１５ａが全周に渡って繋がっている。
【００２３】
上枠１２と下枠１３に設けられた壁部１２ａ、１３ａが、網戸５０が見付け方向に沿ってスライドする際に網戸５０を案内するレールとなる。また、下枠１３には下レール１３ａと固定障子２０が設けられている領域との間に、網戸５０の下框５３の室内側の壁部５３ｆが入り込む凹部１３ｂが設けられている。この凹部１３ｂは、取り付けられた網戸５０の下框５３の下縁５３ｅより深く形成されているため空隙が形成され、この空隙から虫等が侵入する虞がある。このため、網戸５０を閉めた状態にて網戸５０の下に位置させて、空隙を塞ぐように軟質の樹脂にて形成された防虫部材８０が設けられている。
【００２４】
防虫部材８０は、見込み方向に沿った２枚のヒレ状の板部８０ａが、見付け方向に間隔を隔てて設けられており、２枚の板部８０ａが下端部で繋げられて一体に形成されている。２枚の板部８０ａの上端は、網戸５０の下縁５３ｅに当接するように構成されている。
【００２５】
網戸５０は、押出成形部材でなる上框５２、下框５３、左右の縦框５４、５５が四周枠組みされた框体５１の内周側に網材６０が張設されて構成されている。
【００２６】
上框５２と下框５３とは、断面が縦長のほぼコ字形状をなす部材であって、框体５１の外周側、すなわち上框５２の上面側と下框５３の下面側が開放された溝状をなす形状に形成された框部５２ａ、５３ａと、上框５２の框部５２ａの下方及び下框５３の５３ａの上方に突出されて網材６０が取り付けられる網材取付部５２ｂ、５３ｂとを有し、溝状をなす框部５２ａ、５３ａ内の反開放部側には、左右の縦框５４、５５を固定するためのビス（不図示）が螺合されるビスホール５２ｃ、５３ｃが形成されている。このビスホール５２ｃ、５３ｃは、框部５２ａ、５３ａの開放側、すなわち上框５２の上方側、また、下框５３の下方側に見付け方向に沿ってスリットが形成されて、見込み方向に２つに分離されて湾曲する一対の湾曲片５２ｄ、５３ｄの間に形成されている。スリットが形成されている湾曲片５２ｄ、５３ｄの先端部は曲面をなして長手方向に繋がっている。一対の湾曲片５２ｄ、５３ｄがビスホール５２ｃ、５３ｃを形成する部位に相当する。
【００２７】
また、下框５３の框部５３ａ内には、見付け方向の両端部側に、下枠１３の下レール１３ａ上に載置されて網戸５０を見付け方向にスライド自在に支持する戸車６５（図６）と、網戸５０が下枠１３の下レール１３ａから外れることを防止するための外れ防止部材７０とが設けられている。外れ防止部材７０は、網戸５０の下端部としての下框５３内に収容され、下框５３の室内側に設けられた操作部７７にて室内側から操作可能に形成されている。
【００２８】
また、下框５３の框部５３ａを構成する室内側の壁部５３ｆには、框部５３ａ内に設けられた外れ防止部材７０に結合される、操作部７７が有する後述する結合部７９が挿通される孔部５６が形成されている。外れ防止部材７０、操作部７７、及び孔部５６の詳細については後述する。
【００２９】
左右の縦框（以下、左框、右框という）５４、５５は、上框５２及び下框５３と同様に、框体５１の外周側、すなわち左框５４の左面側と右框５５の右面側が開放された溝状をなす形状に形成された框部５４ａ、５５ａを有している。框部５４ａ、５５ａ内は内部の空間を左右ほぼ半分に分けるように仕切り壁５４ｂ、５５ｂが設けられている。仕切り壁５４ｂ、５５ｂより框体５１における外周側には、網戸５０をスライドさせて、框部５４ａ、５５ａ内に進入する枠体１０の壁部１４ａ、１５ａが当接される当接部材１６が設けられている。
【００３０】
左框５４の框部５４ａの右側部、及び、右框５５の框部５５ａの左側部には網材６０が取り付けられる網材取付部５４ｃ、５５ｃが設けられており、上框５２、下框５３、左右の縦框５４、５５が四周枠組みされた状態では、上框５２、下框５３、左右の縦框５４、５５にそれぞれ設けられた網材取付部５２ｂ、５３ｂ、５４ｃ、５５ｃが框体５１の内周側にて繋がって、網材６０の周端部と網材ロープ６１が全周に渡って収容されることにより網材６０が取り付けられている。
【００３１】
外れ防止部材７０は、樹脂製の成形部材であり、図３、図４に示すように、下レール１３ａを上方から覆い網戸５０のスライド時に下レール１３ａに案内される案内部７１、及び、下レール１３ａの室内側にて案内部７１から下方に延出された延出部７２、を有する本体部７３と、本体部７３の上方に配置され本体部７３を下レール１３ａ側に付勢する付勢部７４と、本体部７３と付勢部７４とを連結する連結部７５と、を備えている。
【００３２】
案内部７１は、下方から挿入された下レール１３ａを収容すべく下方が開放された溝部７１ａが見付け方向に沿って形成された断面がほぼコ字形状の部位であり、下レール１３ａが収容される空隙７１ｂの室内側と室外側とに、見込み方向における中央の部位より僅かに下方に突出したガイド部７１ｃが設けられている。室内側のガイド部７１ｃからは下方に延出された前記延出部７２が室内側のガイド部７１ｃと一体に形成されている。
【００３３】
延出部７２は、案内部７１側を底辺とするほぼ二等辺三角形状をなしている。具体的には、見付け方向における中央が最も下に位置して僅かに水平な水平部７２ａを有しており、水平部７２ａから見付け方向の両側に向かって上昇する一対の傾斜部７２ｂを有している。一対の傾斜部７２ｂがなす角度は、鈍角であり傾斜部７２ｂの傾斜はなだらかである。また延出部７２の中央の下縁となる水平部７２ａは、見込み方向、すなわち延出部７２の厚み方向において、室内側の部位が室外側の部位より高い位置になるような傾斜面７２ｃを有している。
【００３４】
連結部７５は、案内部７１の上面７１ｄから上方に突出され、見付け方向に間隔を隔てて設けられた一対の連結壁７５ａと、一対の連結壁７５ａの上端を繋ぐ天部７５ｂとを有し、案内部７１、一対の連結壁７５ａ、天部７５ｂとにより見込み方向に室内側と室外側とを連通する矩形状の連通孔７５ｃをなしている。一対の連結壁７５ａは、案内部７１の見付け方向における中央から振り分けた位置に配置され、本実施形態の外れ防止部材７０では、一対の連結壁７５ａの間隔は案内部７１の見付け方向における長さの約１／４である。一対の連結壁７５ａは、見込み方向におけるほぼ中央より室内側の部位が室外側の部位より内側に突出して間隔が相違している。すなわち、連通孔７５ｃの見込み方向のほぼ中央に段部７５ｄが形成されている。また、一対の連結壁７５ａの室内側の縁部には、室内側から室外側に向かって互いの間隔が狭くなるようなテーパ（不図示）が設けられている。
【００３５】
付勢部７４は、連結部７５の天部７５ｂから見付け方向において両側にそれぞれ突出された薄板状の腕部７４ａと、腕部７４ａの先端であって弾性変形する際にビスホール５３ｃを形成する一対の湾曲片５３ｄと摺接する摺動端部７４ｂとを有しており、腕部７４ａは、下方に膨らむように湾曲して摺動端部７４ｂが連結部７５より上方に、また、見付け方向において案内部７１より外側に位置している。また、摺動端部７４ｂは、腕部７４ａの厚みより大きな直径の円柱状をなし、周面がビスホール５３ｃを形成する一対の湾曲片５３ｄに当接するように形成されている。
【００３６】
操作部７７は、図５に示すように、操作者が操作する操作本体７８と、外れ防止部材７０の連結部７５と結合する結合部７９とを有している。操作本体７８は、矩形状をなす板状の部材であって室内側の面の中央に窪み７８ａが形成されて、室内側の面の周縁部が中央より盛り上がって、操作者の指が引っかかりやすく形成されている。また、室内側面の窪み７８ａは、下方から上方に向かって深くなっている。
【００３７】
操作本体７８の室外側には、下端側であって見付け方向の中央より右側に位置させて室外側に突出し、外れ防止部材７０の連通孔７５ｃに挿入されて段部７５ｄに係止される結合部７９が設けられている。結合部７９は、操作本体７８の室外側に突出する一対のアーム部７９ａが、外れ防止部材７０の連結部７５の一対の連結壁７５ａの間隔より僅かに狭い間隔にて形成されており、一対のアーム部７９ａの先端には互いに離れる方向に突出して段部７５ｄに係止される突片７９ｂが設けられている。また、一対のアーム部７９ａの操作本体７８側となる基端部は繋がっており、繋がった部位の下面には上方に向かって窪む係合凹部７９ｃが形成されている。
【００３８】
下框５３に設けられた孔部５６は、図６に示すように、外れ防止部材７０の本体部７３を網戸５０の下縁５３ｅから出没させる方向に移動させるための縦孔部５７と、縦孔部５７の上部と繋がって見付け方向における左側に広げられた横孔部５８とを有している。また、横孔部５８の下側の縁であって、縦孔部５７との境界部には上方に突出して横孔部５８側に移動された結合部７９を移動された状態に保持することにより、延出部７２を框部５３ａ側に収容した状態を維持するにために、結合部７９に設けられた係合凹部７９ｃに係合される突起５８ａを有している。
【００３９】
本実施形態の外れ防止部材７０は、下框５３の框部５３ａ内に収容されて、框部５３ａの室内側の壁部５３ｆに設けられた孔部５６に挿通された操作部７７の結合部７９が、連結部７５の連通孔７５ｃに挿入され、結合部７９の突片７９ｂが連通孔７５ｃ内の段部７５ｄに係止されて、外れ防止部材７０と操作部７７とが一体となり、結合部７９が孔部５６内を移動可能な範囲にて移動させるべく操作することが可能である。
【００４０】
網戸５０が枠体１０から外されて操作部７７が操作されない状態では、付勢部７４の摺動端部７４ｂが下框５３の湾曲片５３ｄに当接された状態で、操作部７７の結合部７９が縦孔部５７の下縁５７ａに当接されている。このとき、付勢部７４は弾性変形して本体部７３を下方、すなわちビスホール５３ｃから離れる方向に付勢しており、延出部７２が下框５３の下縁５３ｅから最も突出している状態となっている。
【００４１】
そして、網戸５０を枠体１０に取り付ける場合には、操作部７７を操作して、延出部７２を上方に持ち上げつつ左方向に移動させて、図７（ａ）に示すように結合部７９のほぼ半分を横孔部５８側に配置する。このとき、付勢部７４の左側の腕部７４ａは、框部５３ａ内に設けられた戸車６５のケーシングに当接されることにより、左側の腕部７４ａが見付け方向にも圧縮され、外れ防止部材７０が右方向に付勢される。ここで、図７（ａ）では説明の便宜上、本来見えない孔部５６を一点鎖線にて、操作部７７を二点鎖線にて示している。
【００４２】
付勢部７４により下方及び右方向に付勢された外れ防止部材７０は、結合部７９の係合凹部７９ｃが横孔部５８の下縁に設けられた突起５８ａに係合された位置で保持される。このとき、延出部７２の下端は僅かに下框５３から突出している。
【００４３】
網戸５０は、延出部７２の下端が僅かに下框５３から突出した状態にて、けんどん方式にて枠体１０に取り付けられる。すなわち、網戸５０の上部を下部より室内側に位置するように網戸５０を傾けた状態で、上框５２の框部５２ａに上レール１２ａが差し込まれるように上方に持ち上げつつ、網戸５０の姿勢がほぼ鉛直方向に沿うように網戸５０の下部を室内側に移動させる。このとき、網戸５０の下部が下レール１３ａ上を通過する際に、図８に示すように、下框５３から突出している延出部７２の下端が下レール１３ａに接触する。下框５３から突出している延出部７２の下端は、厚み方向において、室内側の部位が室外側の部位より高い位置になるような傾斜面７２ｃを有しているので、下レール１３ａと接触して延出部７２及び連結部７５が上方に持ち上げられる。これにより、延出部７２及び連結部７５が上方に押し上げられて結合部７９の係合凹部７９ｃと孔部５６の突起５８ａとの係合が解除される。このとき、延出部７２及び連結部７５を下方に付勢している付勢部７４は延出部７２及び連結部７５を右方向にも付勢しているので、係合凹部７９ｃと突起５８ａとの係合が解除されることにより、外れ防止部材７０が右方向に移動した後、縦孔部５７に沿って下方に移動して延出部７２が下框５３の下縁５３ｅから最も突出している状態となる。
【００４４】
その後、網戸５０を降下させることにより、図７（ｂ）に示すように、戸車６５が下レール１３ａ上に載置されるとともに、結合部７９が縦孔部５７の下縁に当接して外れ防止部材７０が支持されるとともに、案内部７１の溝部７１ａ内に下レール１３ａの上部が収容されて網戸５０が取り付けられる。
【００４５】
枠体１０に取り付けられた網戸５０は、見付け方向にスライド自在であるが、スライドする際には、下枠１３に設けられた例えば防虫部材８０と接触することになる。網戸５０がスライドして防虫部材８０と接触する際には、図７（ｃ）に示すように、まず防虫部材８０の板部８０ａが、延出部７２が有する一方の傾斜部７２ｂの上部側に接触する。このとき、軟質樹脂製の防虫部材８０は、撓み変形しつつ延出部７２を上方に押し上げる。延出部７２が押し上げられると、付勢部７４が平坦になる方向に弾性変形することにより付勢力が大きくなって撓み変形した板部８０ａを押圧し延出部７２及び連結部７５の上昇を抑えるように作用する。網戸５０のスライドに伴って、防虫部材８０の板部８０ａと延出部７２との接触量が大きくなると、付勢部７４の弾性変形による付勢力と防虫部材８０の撓み（弾性）変形による反発力とが釣り合う位置にて、延出部７２が下框５３から突出した状態、及び、防虫部材８０の板部８０ａが屈曲した状態を維持しつつ網戸５０が防虫部材８０上を通過する。ここで、図７（ｂ）、図７（ｃ）では説明の便宜上、本来見えない孔部５６を一点鎖線にて示している。
【００４６】
本実施形態の建具１によれば、下レール１３ａを上方から覆っている案内部７１の室内側にて、案内部７１から下方に延出された延出部７２を有する本体部７３は付勢部７４により下レール１３ａ側に、かつ、網戸５０の下縁５３ｅから出没自在に付勢されているので、網戸５０がスライドする際に、下レール１３ａの近傍に設けられた防虫部材８０と延出部７２とが干渉した際には、付勢部７４の弾性変形により延出部７２が網戸５０の内方に収容される方向に移動することができる。このため、延出部７２と防虫部材８０とが干渉したとしても網戸５０はスライドし続けることが可能である。
【００４７】
また、防虫部材８０と干渉する延出部７２の下縁の輪郭は、見付け方向における中央から両側に向かって所定の角度にて上昇するように傾斜しているので、網戸５０がスライドする際には、延出部７２と防虫部材８０とは、互いに干渉する量が徐々に変化する。このため、網戸５０がスライドする際に延出部７２と防虫部材８０とが干渉しても衝撃を小さく抑えることが可能である。
【００４８】
また、延出部７２は、防虫部材８０と干渉した際の抵抗を減らす為に傾斜部７２ｂの傾斜角度を緩やかにする必要がある一方、上下方向における下レール１３ａとの係り代も確保する必要がある為、延出部７２だけでも見付け方向の寸法はある程度必要となり、大きくなる。つまり、この延出部の見付け方向左右端部側から同じ長さの付勢部７４を直接設けようとすると、外れ防止部材７０全体の見付け方向の幅寸法が更に大きくなる問題（部品の大型化）が生じ、更に、延出部７２と防虫部材とが干渉したときに延出部７２が大きく傾くようなロッキングが生じ易くなってしまう。
【００４９】
しかし本実施形態の建具１によれば、延出部７２の上方となる本体部７３の上縁の幅が連結部７５より見付け方向の幅より広く、且つ、付勢部７４が連結部７５から見付け方向における両側に突出させて設けられているので、網戸５０の移動方向となる見付け方向において延出部７２及び付勢部７４の幅がそれぞれ連結部７５より広い間隔となる。このため、延出部７２の輪郭における高さ方向の変化を緩やかに形成することが可能であるので、網戸５０がスライドする際に延出部７２と防虫部材８０とが干渉する際の衝撃をより小さく抑えることが可能であるとともに、防虫部材８０との接触により受けた荷重が連結部７５を介して一対の腕部７４ａ及び摺動端部７４ｂに伝達されるので、傾斜部７２ｂが防虫部材８０と干渉したとしても延出部７２が大きく傾くようなロッキングは生じ難くなる。以上により、延出部７２が安定した姿勢を保たせつつ本体部７３を下レール１３ａ側に付勢することが可能である。
【００５０】
また、延出部７２の下縁の輪郭は、一対の傾斜部７２ｂがなす角が鈍角となるように、見付け方向において中央から両側に向かって所定の角度にて高さが変化していくので、延出部７２と防虫部材８０とが干渉したとしても、延出部７２を押し上げる力は急激に変化することはなく、より滑らかに網戸５０をスライドさせることが可能である。
【００５１】
また、室内側からの操作により延出部７２を網戸５０から出没させる方向に移動させるための操作部７７は、当該操作部７７の室外側に突出させた結合部７９が、網戸５０の下框５３に設けられた孔部５６に挿通されて外れ防止部材７０の連結部７５と結合されているので、室内側からの操作により延出部７２を網戸５０から容易に出没させることが可能である。
【００５２】
網戸５０が枠体１０から外れることを防止するための外れ防止部材７０は、延出部７２が網戸５０の下縁５３ｅより下方に突出したままの状態では、網戸５０を枠体１０に取り付けることが難しい。このため、網戸５０を枠体１０に取り付ける際には、できるだけ網戸５０内に移動させ、すなわち上方に移動させて延出部７２の突出量を小さくしておく方が望ましい。このため上記の建具１のように、操作部７７の結合部７９が挿通されている孔部５６が、上下方向に移動するための縦孔部５７の上部と繋がって横孔部５８を有していると、結合部７９を横孔部５８側に移動することにより、延出部７２を上方に移動された位置にて保持することが可能である。
【００５３】
また、縦孔部５７と横孔部５８の境界部に上方に突出する突起５８ａに結合部７９の係合凹部７９ｃが係合して、結合部７９が横孔部５８側に移動された状態が維持されるので、操作部７７から手を離した状態であっても延出部７２を上方に移動した状態に保持することが可能である。このため、網戸５０を枠体１０に取り付ける際には、両手で網戸５０を保持して容易に取り付けることが可能である。
【００５４】
また、延出部７２の見付け方向における中央の下縁は、室内側が室外側より高くなる傾斜面７２ｃを有しているので、室外側から網戸５０を枠体１０に取り付ける際に、延出部７２の中央の下縁が下レール１３ａに接触した後、そのまま網戸５０の下端を室内側に移動させると、延出部７２は下レール１３ａにより傾斜面に沿って上方に押し上げられ、結合部７９が突起５８ａより高い位置に移動して、突起５８ａと係合凹部７９ｃとの係合が解除される。このとき、延出部７２及び結合部７９は、付勢部７４のストッパーとなる戸車６５により横孔部５８側から縦孔部５７側への付勢力を備えた付勢部７４に付勢されているので横孔部５８から外れ縦孔部５７側に移動される。このため、網戸５０を枠体１０に取り付けるだけで、網戸５０が枠体１０から外れないように外れ防止部材７０の延出部７２を網戸５０の下縁５３ｅより下方に突出させることが可能である。このとき、外れ防止部材７０を横孔部５８側から縦孔部５７側へ付勢するための付勢力を、付勢部７４を戸車６５に近接させて付勢部７４の腕部７４ａを弾性変形させることにより生じさせたので、結合部７９を横孔部５８側から縦孔部５７側へ付勢するための部材を別途設けることなく、付勢部７４にて結合部７９を横孔部５８側から縦孔部５７側へ付勢することが可能である。
【００５５】
外れ防止部材７０の付勢部７４は、上方が下框５３の框部５３ａ内に設けられたビスホール５３ｃを形成する湾曲片５３ｄに当接されて、下方から押圧されることにより、弾性変形して付勢力が発生する。このため、連結部７５から見付け方向における両側に突出して設けられた付勢部７４は、湾曲して上方及び外側に延びる腕部７４ａが弾性変形する際に、湾曲片５３ｄと摺接する。湾曲片５３ｄは、下方が突出してスリットが形成されており、先端部は曲面に形成されているので、付勢部７４と湾曲片５３ｄとの接触面積を小さく抑えることが可能である。このため、外れ防止部材７０への下方から押圧に対し付勢部７４を滑らかに弾性変形させることが可能である。
【００５６】
また、付勢部７４の、湾曲片５３ｄと摺接する摺動端部７４ｂは、円柱状をなしその周面である曲面にて湾曲片５３ｄと摺接するので、付勢部７４と下框５３との接触面積をより小さく抑えることが可能である。このため、外れ防止部材７０への下方から押圧に対し付勢部７４をより滑らかに弾性変形させることが可能である。
【００５７】
上記実施形態においては、障子を網戸５０としたが、網戸に限らず、面材を備えた障子や、四周枠組みされた框体を備えたパネル状の障子でも構わない。
【００５８】
また、上記実施形態においては、延出部の下縁の輪郭を、見付け方向の中央から両側に上昇する傾斜部を有する構成としたが、これに限らず、見付け方向の中央から両側に上昇する円弧状などの曲面であっても構わない。
【００５９】
また、上記実施形態においては、延出部７２の一対の傾斜部７２ｂがなす角を鈍角としたが、９０度であってもよく、鋭角であってもよい。
【００６０】
また、上記実施形態のおいては、付勢部７４の摺動端部７４ｂが円柱状に形成された例について説明したが、摺動端部は、腕部の先端が円弧状に屈曲されていても構わない。
【００６１】
また、外れ防止部材を横孔部５８側から縦孔部５７側へ付勢するための付勢力を、付勢部７４を戸車６５に近接させて付勢部７４の腕部７４ａを弾性変形させることにより生じさせた例について説明したが、これに限る物ではない。例えば、弾性部材と弾性部材を保持するストッパーとを別途備えた構成としても構わない。
【００６２】
また、上記実施形態においては、固定障子２０を室外側の領域に、可動障子３０を室内側の領域に設けているが、これに限ることなく、固定障子２０を室内側の領域に、可動障子３０を室外側の領域に設けてもよい。
【００６３】
また、上記実施形態においては、室内側から見て開口の左側が固定障子２０にて閉塞され、右側が可動障子３０にて開閉可能に構成されているが、これに限ることなく、右側を固定障子２０にて閉塞し左側を可動障子３０にて開閉可能に構成してもよく、また、開口の中央側を固定障子２０にて閉塞し、左右両側を可動障子３０にて開閉可能に構成（両袖片引き窓）しても構わない。
【００６４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６５】
１  建具、１０  枠体、１３ａ  下レール、５０  網戸、５１  框体、
５３  下框、５３ｃ  ビスホール、５３ｄ  湾曲片、５３ｅ  下縁、
５６  孔部、５７  縦孔部、５７ａ  下縁、５８  横孔部、５８ａ  突起、
６５  戸車、７０  外れ防止部材、７１  案内部、７２  延出部、
７２ｂ  傾斜部、７２ｃ  傾斜、７３  本体部、７４  付勢部、
７４ｂ  摺動端部、７５  連結部、７７  操作部、７９  結合部、
７９ｃ  係合凹部
【図１】
2010174485.tif 000003
【図２】
2010174485.tif 000004
【図３】
2010174485.tif 000005
【図４】
2010174485.tif 000006
【図５】
2010174485.tif 000007
【図６】
2010174485.tif 000008
【図７】
2010174485.tif 000009
【図８】
2010174485.tif 000010